(57)【要約】【課題】ＯＳＤが同じ場所に長時間表示されると、画面焼き付きによる劣化が生じ、また、ＯＳＤ画面を消去すれば確認できなくなる。【解決手段】特徴検出手段１にてＯＳＤ信号が大きな電力を消費していることが検出され、所定時間を超えて自発光表示部３にＯＳＤ信号が表示され、かつ自発光表示部３と副表示部５がともに表示されている場合、自発光信号処理手段２により自発光表示部に対するＯＳＤ信号部分を所定時間消す。あるいは、特徴検出手段１にてＯＳＤ信号が劣化し易い色が所定値より多く、占有比率が高いことが検出された場合、自発光信号処理手段２により自発光表示部に対するＯＳＤ信号部分の色を劣化し難い色に変換する。【選択図】図１
2007212627.tif 000002
【特許請求の範囲】
【請求項１】
入力される映像信号とオン・スクリーン・ディスプレイ信号（以下、ＯＳＤ信号）の両方またはいずれかを表示する表示装置であって、自発光素子により画素が構成される自発光表示部と、ＯＳＤ信号の特徴を検出する特徴検出手段と、前記自発光表示部に表示するための信号処理を施すとともに前記特徴検出手段からの出力により前記自発光表示部に表示するＯＳＤ信号部分に対して処理を施す自発光表示部信号処理手段と、前記自発光表示部とは別に映像信号およびＯＳＤ信号を表示する副表示部と、前記副表示部に表示するための信号処理を施す副表示部信号処理手段と、前記自発光表示部と前記副表示部の表示状態を検出する表示部状態検出手段とを備えたことを特徴とする表示装置。
【請求項２】
前記特徴検出手段は、ＯＳＤ信号の消費電力換算値を検出する機能を備え、検出されたＯＳＤ信号の消費電力が所定値より大きく、かつ所定時間を超えて前記自発光表示部にＯＳＤ信号が表示され、前記自発光表示部と前記副表示部がともに表示状態にある場合、所定時間後に前記自発光表示部のＯＳＤ信号表示を消すことを特徴とする請求項１記載の表示装置。
【請求項３】
前記特徴検出手段は、ＯＳＤ信号の消費電力換算値を検出する機能を備え、検出されたＯＳＤ信号の消費電力が所定値より大きく、かつ所定時間を超えて前記自発光表示部にＯＳＤ信号が表示され、前記自発光表示部と前記副表示部がともに表示状態にある場合、所定時間後に前記自発光表示部のＯＳＤ信号の信号レベルを下げることを特徴とする請求項１記載の表示装置。
【請求項４】
前記特徴検出手段は、ＯＳＤ信号の色別の閾値レベルを超えた画素数を検出する機能を備え、前記自発光表示部において劣化し易い色が所定値より多く、占有比率が高く、かつ前記自発光表示部と前記副表示部がともに表示状態にある場合、前記自発光表示部のＯＳＤ信号を劣化し難い色に変換することを特徴とする請求項１記載の表示装置。
【請求項５】
前記特徴検出手段は、ＯＳＤ信号を構成するＲＧＢ信号に前記自発光表示部における電力消費特性に応じた重み付けを施したレベル積算値を垂直期間周期毎に出力することを特徴とする請求項２または３いずれか一項記載の表示装置。
【請求項６】
前記特徴検出手段は、ＯＳＤ信号の色別の閾値レベルを超えた画素数を検出する機能を備え、前記自発光表示部において劣化し易い色が所定値より多く、占有比率が高い状態にある場合、前記自発光表示部のＯＳＤ信号を劣化し難い色に変換することを特徴とする請求項１記載の表示装置。
【発明の詳細な説明】
【技術分野】
【０００１】
本発明は、表示部における表示劣化抑制を図る目的で、使用者の使用感を損なうことなく、入力される映像信号およびＯＳＤ信号を自発光素子により構成された表示部に表示する表示装置に関する。
【背景技術】
【０００２】
ＯＳＤ(オンスクリーン・ディスプレイ)とは、ＣＲＴディスプレイや液晶ディスプレイなどにおいて、表示調整用に個別のツマミを設けることなく、現在の状態をディスプレイに表示しながら調整できるようにした機能である。そのようなＯＳＤの表示機能を備えた従来の表示装置およびその制御方法としては、例えば特許文献１に記載されているようなものがあり、そこで紹介された表示装置を従来構成として図８に再掲する。
【０００３】
図８に示すように、その表示装置は、映像増幅部４０、映像出力部４１、表示部であるＣＲＴ４２、制御部４３、ＯＳＤ回路部４４および水平／垂直偏向回路部４５を有する構成となっている。映像増幅部４０は、映像信号およびＯＳＤ信号を増幅し、映像出力部４１は、映像増幅部４０において増幅された映像信号およびＯＳＤ信号をＣＲＴ４２に対して出力する。制御部４３は、ＯＳＤ活性化信号およびＯＳＤ非活性化信号に応じてＯＳＤ出力信号またはＯＳＤ消去信号をＯＳＤ回路４４に対して出力するとともに、ＯＳＤ画面の表示時間に応じてＯＳＤ出力位置変更信号を出力する。
【０００４】
図９は、従来例におけるＯＳＤ画面出力方法の説明フローである。制御部４３においてステップＳ９１でＯＳＤ画面の表示位置が初期化される。ステップＳ９２の判定で、ＯＳＤ活性化信号が入力されなければ、ステップＳ１００に進み、ＯＳＤ画面を消去して正常動作ルーチンに移る。一方、ＯＳＤ活性化信号が入ればステップＳ９３にてＯＳＤ画面を出力する。次に、ステップＳ９４でＯＳＤ非活性信号が入ればステップＳ１００に進んでＯＳＤ画面を消去するが、ＯＳＤ非活性信号が入らなければ、更にステップＳ９５にて表示時間が基準時間を超えているか否かの判定に入る。超えていなければステップＳ９２に戻るが、超えていればステップＳ９６にて、ＯＳＤ画面の表示位置を変更して表示する。その後は、ステップＳ９８にてＯＳＤ非活性化信号が入るまでは、ステップＳ９９で基準時間を参照してステップＳ９６で表示位置を移動させる。このようにして、ＯＳＤ画面が表示部の１箇所に長時間出力されることで生じる画面焼き付けなどの表示劣化を抑制している。
【特許文献１】特開平１１−３３８４４８号公報
【発明の開示】
【発明が解決しようとする課題】
【０００５】
しかしながら、従来の構成および制御方法では、表示位置移動量を大きくしないと、このような表示劣化の抑制効果を上げることができないために、ＯＳＤ画面がメニュー選択画面などである場合、使用者側にとって著しく使用感の悪いものとなっていた。また、従来例においては、表示位置移動に加えてＯＳＤ画面の一時消去や完全消去の場合も示されているが、消去された段階でＯＳＤ信号を確認することができなくなってしまうことになる。
【０００６】
本発明は、前記従来の課題を解決するもので、使用者側にとって使用感を損なうことなく、ＯＳＤ表示による焼き付け抑制を図る自発光表示装置を提供することを目的とする。
【課題を解決するための手段】
【０００７】
前記従来の課題を解決するために、本発明の表示装置は、入力される映像信号とＯＳＤ信号の両方またはいずれかを表示する表示装置であって、自発光素子により画素が構成される自発光表示部と、ＯＳＤ信号の特徴を検出する特徴検出手段と、前記自発光表示部に表示するための信号処理を施すとともに前記特徴検出手段からの出力により前記自発光表示部に表示するＯＳＤ信号部分に対して処理を施す自発光表示部信号処理手段と、前記自発光表示部とは別に映像信号およびＯＳＤ信号を表示する副表示部と、前記副表示部に表示するための信号処理を施す副表示部信号処理手段と、前記自発光表示部と前記副表示部の表示状態を検出する表示部状態検出手段とを有し、前記特徴検出手段は、ＯＳＤ信号の消費電力換算値を検出する機能を備え、検出されたＯＳＤ信号の消費電力が所定値より大きく、かつ所定時間を超えて前記自発光表示部にＯＳＤ信号が表示され、前記自発光表示部と前記副表示部がともに表示状態にある場合、所定時間後に前記自発光表示部のＯＳＤ信号表示を消去するとしたものである。
【０００８】
また、前記特徴検出手段は、ＯＳＤ信号の消費電力換算値を検出する機能を備え、検出されたＯＳＤ信号の消費電力が所定値より大きく、かつ所定時間を超えて前記自発光表示部にＯＳＤ信号が表示され、前記自発光表示部と前記副表示部がともに表示状態にある場合、所定時間後に前記自発光表示部のＯＳＤ信号の信号レベルを下げるとしたものである。
【０００９】
また、前記特徴検出手段は、ＯＳＤ信号の色別の閾値レベルを超えた画素数を検出する機能を備え、前記自発光表示部において劣化し易い色が所定値より多く、占有比率が高く、かつ前記自発光表示部と前記副表示部がともに表示状態にある場合、前記自発光表示部のＯＳＤ信号を劣化し難い色に変換するとしたものである。
【発明の効果】
【００１０】
以上のように、本発明の表示装置によれば、使用者側に対してＯＳＤが見え辛くなるまたは消えて見えなくなるなど、使用者側にとっての使用感を損なうことなく、ＯＳＤ表示による焼き付け抑制を図るという格別な効果を奏する。
【発明を実施するための最良の形態】
【００１１】
以下本発明を実施するための最良の形態について、図を用いて説明する。
（実施の形態１）
図１は、本発明の実施の形態１における表示装置の構成の概略を示すブロック図である。図１に示すように、入力される映像信号とＯＳＤ信号を表示する表示装置であって、自発光素子により画素が構成される自発光表示部３と、ＯＳＤ信号の特徴を検出する特徴検出手段１と、自発光表示部３に表示するための信号処理を施すとともに特徴検出手段１からの出力により自発光表示部３に表示するＯＳＤ信号に対して処理を施す自発光表示部信号処理手段２と、自発光表示部３とは別に映像信号およびＯＳＤ信号を表示する副表示部５と、副表示部５に表示するための信号処理を施す副表示部信号処理手段４と、自発光表示部３と副表示部５の表示状態を検出する表示部状態検出手段６とを備えた構成となっている。副表示部５としては、ムービーにおけるビューファインダーや、デジタルカメラの表示器くらいの大きさで十分である。
【００１２】
図２は、特徴検出手段１におけるＯＳＤ信号の電力換算値データ算出例を示す図である。図２では垂直期間内のＯＳＤ表示に当たるＲＧＢ各々の表示データの積算値または平均値に対して、それぞれの乗算器１１にて、自発光表示部３のＲＧＢ画素別の電力消費特性に応じた重み付け係数を乗算する。それらの乗算結果を加算器１２にてＲＧＢ全て加え、その合計値を垂直期間毎に出力する。
【００１３】
図３は、特徴検出手段１にてＯＳＤ信号の電力換算値データ算出を行う場合の動作フローの一例を示す。ステップＳ３にて、ＯＳＤ信号の電力換算値が図２で述べたような方式で算出され、ステップＳ３２では、その電力換算値が所定値を超過しているかが判定され、超過していなければ本フローの処理を抜けて終了する。一方、電力換算値が所定値を超えている場合、ステップＳ３３にて、自発光表示部３におけるＯＳＤ表示時間が所定時間を超えているか否かを判定し、超えていなければ本処理を抜ける。ＯＳＤ表示時間が所定時間を超えている場合、ステップ３４にて、表示部状態検出手段６からの情報により、自発光表示部３と副表示部５の表示状態を確認し、両方が表示状態でなければ本処理を抜ける。一方、両表示部が表示状態である場合、ステップＳ３５にて、自発光表示部３に表示しているＯＳＤ表示を消去する。
【００１４】
図４は、特徴検出手段１にてＯＳＤ信号の電力換算値データ算出を行う場合の動作フローの別例を示す。ステップＳ３１〜Ｓ３４までは、図３のフローと同じであるが、ステップＳ３４の判定で、両表示部が表示状態である場合、ステップＳ３６にて、自発光表示部３に表示しているＯＳＤ表示の信号レベルを減少させる。このフロー例では、自発光表示部３と副表示部５の両方が表示状態であることを条件に入れているが、自発光表示部３のみが表示状態である場合でもＯＳＤ表示の信号レベルを減少させてもよい。
【００１５】
図５は、特徴検出手段１にてＯＳＤ信号の色情報検出を行うための制御ブロック図である。垂直期間内のＯＳＤ信号のＲ成分データに対して、閾値比較器５１にて所定のレベルとの閾値比較処理を施し、閾値を超える画素数を画素数カウンタ５２にてカウントする。Ｇ成分およびＢ成分に関しても同様にカウントする。カウント数比較器５３にて各々のカウント数結果を比較し、自発光表示部３において劣化し易い色成分が劣化し難い色成分より多い場合、色変換をオンとする色変換設定出力を、図２の自発光表示部信号処理手段２に送る。
【００１６】
図６は、特徴検出手段１にてＯＳＤ信号の色情報検出を行う場合の動作フローの一例を示す。ステップＳ６１にて、ＯＳＤ信号の色情報が、図５で述べた手法で検出され、そしてステップＳ６２にて、検出した色情報に対し、劣化し易い色が所定値より多く、かつ、レベルが大きいかが判定され、そうでない場合は本処理を抜けるが、検出した色情報に対し、劣化し易い色が所定値より多い場合は、ステップＳ６４にて表示部状態検出手段６からの情報により、自発光表示部３と副表示部５の表示状態を確認し、両方が表示状態でなければ処理を抜ける。両表示部が表示状態である場合、ステップＳ６５にて、自発光表示部３に表示しているＯＳＤ表示に色変換処理を施すことになり、自発光表示部信号処理手段２は、色変換オンを受け、自発光表示部３において劣化し易い色成分と劣化し難い色成分の色の入れ替え処理を施す。このとき、自発光表示部信号処理手段２において、ＲＧＢの単色部のみ色の入れ替えをしてもよい。
【００１７】
図７は、特徴検出手段１にてＯＳＤ信号の色情報検出を行う場合の動作フローの別例を示す。これは、図６のステップ６２の次に、自発光表示部３におけるＯＳＤ表示時間が所定時間を超えているか否かの判定を行うステップ６３を加えたものである。
【００１８】
以上、本案によれば副表示部におけるＯＳＤ表示は確保し、自発光表示部におけるＯＳＤ表示に対してのみ焼き付けなどの劣化抑制を施すことにより、使用者側において使用感を損なうことがない表示装置を提供できる。
【産業上の利用可能性】
【００１９】
本発明にかかるＯＳＤ表示を含む表示装置およびその制御方法は、使用者側に対してＯＳＤが見え辛くなるまたは消えて見えなくなるなど、使用者側にとっての使用感を損なうことなく、ＯＳＤ表示による焼き付け抑制を図るという格別な効果を奏するので、入力される映像信号およびＯＳＤ信号を自発光素子により構成された表示部に表示する表示装置等として有用である。
【図面の簡単な説明】
【００２０】
【図１】本発明の実施の形態１における表示装置の構成の概略を示すブロック図
【図２】本発明の実施の形態１における電力換算値算出の構成を示す図
【図３】本発明の実施の形態１におけるＯＳＤ表示消去の動作フロー例を示す図
【図４】本発明の実施の形態１におけるＯＳＤ信号レベル減少の動作フロー例を示す図
【図５】本発明の実施の形態１における色情報検出の構成を示す図
【図６】本発明の実施の形態１におけるＯＳＤ表示色変換の動作フロー例を示す図
【図７】本発明の実施の形態１におけるＯＳＤ表示色変換の動作フロー例を示す図
【図８】従来の表示装置の構成の概略を示すブロック図
【図９】従来のＯＳＤ信号処理の動作フローを示す図
【符号の説明】
【００２１】
１  特徴検出手段
２  自発光表示部信号処理手段
３  自発光表示部
４  副表示部信号処理手段
５  副表示部
４０  映像増幅部
４１  映像出力部
４２  ＣＲＴ
４３  制御部
４４  ＯＳＤ回路部
４５  水平／垂直偏向回路部 
【図１】
2007212627.tif 000003
【図２】
2007212627.tif 000004
【図３】
2007212627.tif 000005
【図４】
2007212627.tif 000006
【図５】
2007212627.tif 000007
【図６】
2007212627.tif 000008
【図７】
2007212627.tif 000009
【図８】
2007212627.tif 000010
【図９】
2007212627.tif 000011